(57)【要約】【課題】  観客が試合に興奮して足を掛けたり手で押し下げようとしても破損するのを防止することができる競技場イス用コップ掛け。【解決手段】  競技場イスに固着される前壁12と左右側壁13，13を有する第１取付部材１と、第１取付部材１に嵌合状に固着される前方開口箱状の第２取付部材２と、コップを掛ける略環状の線状バネ３を、備える。第１取付部材１と第２取付部材２にて線状バネ３を保持する。第２取付部材２は、その左右側壁９，９の対向する位置に内方へ突出する小突出子10，10を有する。線状バネ３の両端４，４が、直角折曲部５，５を有する。折曲部５が第２取付部材２の内面に弾発的に接触する。折曲部５が小突出子10を弾発力をもちつつ乗り越えることにより、水平状態と下方折畳み状態を択一的に切換え自在に構成する。【選択図】  図３
0003108854.tif 000002
【実用新案登録請求の範囲】
【請求項１】
コップ（Ｋ）を掛ける略環状の線状バネ（３）を具備する競技場イス用コップ掛けであって、上記線状バネ（３）を、水平状態と下方折畳み状態を択一的に切換え自在に構成し、かつ、線状バネ（３）の水平状態に於て上記線状バネ（３）に下方への力（Ｊ）が加わると、線状バネ（３）が下方折畳み状態に切換わるように構成したことを特徴とする競技場イス用コップ掛け。
【請求項２】
競技場イス（Ｃ）に固着される前壁（12）と左右側壁（13）（13）を有する第１取付部材（１）と、該第１取付部材（１）に嵌合状に固着される前方開口箱状の第２取付部材（２）と、コップ（Ｋ）を掛ける略環状の線状バネ（３）を、備え、
上記第１取付部材（１）と上記第２取付部材（２）にて上記線状バネ（３）を保持し、  上記第２取付部材（２）は、その左右側壁（９）（９）の対向する位置に内方へ突出する小突出子（10）（10）を有し、上記線状バネ（３）の両端（４）（４）が、直角折曲部（５）（５）を有し、該折曲部（５）が上記第２取付部材（２）の内面（２ａ）に弾発的に接触し、該折曲部（５）が上記小突出子（10）を弾発力（Ｆ1 ）をもちつつ乗り越えることにより、水平状態と下方折畳み状態を択一的に切換え自在に構成し、かつ、線状バネ（３）の水平状態に於て上記線状バネ（３）に下方への力（Ｊ）が加わると、線状バネ（３）が下方折畳み状態に切換わるように構成したことを特徴とする競技場イス用コップ掛け。
【請求項３】
競技場イス（Ｃ）に固着される前壁（12）と左右側壁（13）（13）を有する第１取付部材（１）と、該第１取付部材（１）に嵌合状に固着される前方開口箱状の第２取付部材（２）と、コップ（Ｋ）を掛ける略環状の線状バネ（３）を、備え、
上記第１取付部材（１）が、その左右側壁（13）（13）に、上記線状バネ（３）を差込む左右一対の端縁Ｕ字型の切欠き（６）（６）を有し、上記第２取付部材（２）が、その左右側壁（９）（９）に、上記線状バネ（３）を差込む左右一対の端縁Ｕ字型の切欠き（７）（７）を有し、上記第１取付部材（１）の切欠き（６）と、上記第２取付部材（２）の切欠き（７）にて、略円形の線状バネ差込み孔（８）が形成されるとともに、該線状バネ差込み孔（８）（８）に上記線状バネ（３）の両端（４）（４）が挿通状とされ、
上記第２取付部材（２）は、その左右側壁（９）（９）の対向する位置に内方へ突出する小突出子（10）（10）を有し、上記線状バネ（３）の両端（４）（４）が、直角折曲部（５）（５）を有し、該折曲部（５）が上記第２取付部材（２）の内面（２ａ）に弾発的に接触し、該折曲部（５）が上記小突出子（10）を弾発力（Ｆ1 ）をもちつつ乗り越えることにより、水平状態と下方折畳み状態を択一的に切換え自在に構成し、かつ、線状バネ（３）の水平状態に於て上記線状バネ（３）に下方への力（Ｊ）が加わると、線状バネ（３）が下方折畳み状態に切換わるように構成したことを特徴とする競技場イス用コップ掛け。
【考案の詳細な説明】
【技術分野】
【０００１】
本考案は、競技場イス用コップ掛けに関する。
【背景技術】
【０００２】
一般に、競技場イスには、その背部の裏面（後面）に於て、観客がビールやジュース等の飲み物が入ったコップを保持させておくためのコップ掛けが取り付けられている。
【０００３】
しかし、試合に興奮して、コップ掛けに足を掛けたり、手でコップ掛けを押し下げようとすると、コップ掛けにかかる力によって、コップ掛けが破損するという欠点があった。
【考案の開示】
【考案が解決しようとする課題】
【０００４】
解決しようとする課題は、足を掛けたり、手で押し下げようとして下方への力が加わると、破損する点である。
【課題を解決するための手段】
【０００５】
そこで、本考案に係る球技場イス用コップ掛けは、コップを掛ける略環状の線状バネを具備する競技場イス用コップ掛けであって、上記線状バネを、水平状態と下方折畳み状態を択一的に切換え自在に構成し、かつ、線状バネの水平状態に於て上記線状バネに下方への力が加わると、線状バネが下方折畳み状態に切換わるように構成したものである。
【０００６】
また、競技場イスに固着される前壁と左右側壁を有する第１取付部材と、該第１取付部材に嵌合状に固着される前方開口箱状の第２取付部材と、コップを掛ける略環状の線状バネを、備え、上記第１取付部材と上記第２取付部材にて上記線状バネを保持し、上記第２取付部材は、その左右側壁の対向する位置に内方へ突出する小突出子を有し、上記線状バネの両端が、直角折曲部を有し、該折曲部が上記第２取付部材の内面に弾発的に接触し、該折曲部が上記小突出子を弾発力をもちつつ乗り越えることにより、水平状態と下方折畳み状態を択一的に切換え自在に構成し、かつ、線状バネの水平状態に於て上記線状バネに下方への力が加わると、線状バネが下方折畳み状態に切換わるように構成したものである。
【０００７】
また、競技場イスに固着される前壁と左右側壁を有する第１取付部材と、該第１取付部材に嵌合状に固着される前方開口箱状の第２取付部材と、コップを掛ける略環状の線状バネを、備え、上記第１取付部材が、その左右側壁に、上記線状バネを差込む左右一対の端縁Ｕ字型の切欠きを有し、上記第２取付部材が、その左右側壁に、上記線状バネを差込む左右一対の端縁Ｕ字型の切欠きを有し、上記第１取付部材の切欠きと、上記第２取付部材の切欠きにて、略円形の線状バネ差込み孔が形成されるとともに、該線状バネ差込み孔に上記線状バネの両端が挿通状とされ、上記第２取付部材は、その左右側壁の対向する位置に内方へ突出する小突出子を有し、上記線状バネの両端が、直角折曲部を有し、該折曲部が上記第２取付部材の内面に弾発的に接触し、該折曲部が上記小突出子を弾発力をもちつつ乗り越えることにより、水平状態と下方折畳み状態を択一的に切換え自在に構成し、かつ、線状バネの水平状態に於て上記線状バネに下方への力が加わると、線状バネが下方折畳み状態に切換わるように構成したものである。
【考案の効果】
【０００８】
本考案の球技場イス用コップ掛けによれば、観客が試合に興奮して足を掛けたり手で押し下げようとしても破損するのを防止することができる。
【考案を実施するための最良の形態】
【０００９】
図１〜図３は、本考案の実施の一形態を示す。この競技場イス用コップ掛けは、球技場イスＣの背部Ｂの後面Ｒに付設されて、ビールやジュース等の飲み物が入ったコップＫを保持するのに用いられる。図１に示すように、線状バネ３（後述）にコップＫを掛けた状態では、コップＫがコップ掛けに（例えば、点Ｐに於て）当接するので、コップＫによって、線状バネ３は揺動規制される（すなわち、折畳み状態にはならない）。図２に示すように、コップＫを外した状態では、線状バネ３に足を掛けたり手で下方への力Ｊを加えたりすると、線状バネ３が下方へ逃げる。
【００１０】
すなわち、線状バネ３は、水平状態と下方折畳み状態を択一的に切換え自在に構成されている。特に、線状バネ３の水平状態（図２に２点鎖線にて示す）に於て線状バネ３に下方への力Ｊが加わると、線状バネ３が、図２の矢印Ａ方向に揺動して、下方折畳み状態に切換わるように構成されている。
【００１１】
本発明のコップ掛けは、競技場イスＣに固着される前壁12と左右側壁13，13を有する金属製第１取付部材１と、第１取付部材１に嵌合状に固着される前方開口箱状の金属製第２取付部材２と、コップＫを掛ける略環状の金属製線状バネ３を、備える。線状バネ３の両端４，４は、直角折曲部５，５を有する。
【００１２】
第１取付部材１と第２取付部材２にて線状バネ３を保持している。具体的には、図３・図４に示すように、第１取付部材１が、その左右側壁13，13に、線状バネ３を差込む左右一対の端縁Ｕ字型の切欠き６，６を有し、第２取付部材２が、その左右側壁９，９に、線状バネ３を差込む左右一対の端縁Ｕ字型の切欠き７，７を有する。そして、第１取付部材１の切欠き６と、第２取付部材２の切欠き７にて、略円形の線状バネ差込み孔８が形成されるとともに、線状バネ差込み孔８に線状バネ３の両端４，４が挿通状とされている。なお、図４では、線状バネ３を図示省略している。
【００１３】
図５〜図７に示すように、第２取付部材２は、その左右側壁９，９の対向する位置に内方へ突出する小突出子10，10を有する。折曲部５が第２取付部材２の内面２ａに弾発的に接触している。折曲部５が小突出子10を弾発力Ｆ1 をもちつつ乗り越えることにより、水平状態と下方折畳み状態を択一的に切換え自在に構成されている。なお、図５〜図７では、第１取付部材１を図示省略している。
【００１４】
すなわち、図５は、線状バネ３の水平状態を示す。このとき、線状バネ３（の折曲部５）は、第２取付部材２に対して外向きの弾発力Ｆ0 ，Ｆ0 を与えている。
図６は、線状バネ３の折曲部５が小突出子10を弾発力Ｆ1 ，Ｆ1 をもちつつ乗り越えている状態を示す。なお、弾発力Ｆ0 と弾発力Ｆ1 は、Ｆ0 ＜Ｆ1 を満たす大小関係にある。
図７は、線状バネ３の下方折畳み状態を示す。
【００１５】
なお、第２取付部材２は、例えば、スポット溶接にて、第１取付部材１に固着される。  また、第１取付部材１は、例えば、図１に示すように、ネジＮにて競技場イスＣに固着される。すなわち、第１取付部材１は、ネジＮを挿通するための上下の孔11，11を有する。そして、競技場イスＣの背部Ｂに、孔11に対応するネジ孔Ｑが設けられている。
【００１６】
本考案は、設計変更可能であって、例えば、小突出子10を、第２取付部材２の左右側壁９，９の切欠き７，７よりも上側の対向する位置に設け、かつ、線状バネ３の折曲部５を、線状バネ３全体が同一平面内にあるようにかつ直角に折曲げた形状とするも良い。
【００１７】
以上のように、本考案は、コップＫを掛ける略環状の線状バネ３を具備する競技場イス用コップ掛けであって、線状バネ３を、水平状態と下方折畳み状態を択一的に切換え自在に構成し、かつ、線状バネ３の水平状態に於て線状バネ３に下方への力Ｊが加わると、線状バネ３が下方折畳み状態に切換わるように構成したので、観客が試合に興奮して足を掛けたり手で押し下げようとしても破損するのを防止することができる。
【００１８】
また、競技場イスＣに固着される前壁12と左右側壁13，13を有する第１取付部材１と、該第１取付部材１に嵌合状に固着される前方開口箱状の第２取付部材２と、コップＫを掛ける略環状の線状バネ３を、備え、第１取付部材１と第２取付部材２にて線状バネ３を保持し、第２取付部材２は、その左右側壁９，９の対向する位置に内方へ突出する小突出子10，10を有し、線状バネ３の両端４，４が、直角折曲部５，５を有し、折曲部５が第２取付部材２の内面２ａに弾発的に接触し、折曲部５が小突出子10を弾発力Ｆ1 をもちつつ乗り越えることにより、水平状態と下方折畳み状態を択一的に切換え自在に構成し、かつ、線状バネ３の水平状態に於て線状バネ３に下方への力Ｊが加わると、線状バネ３が下方折畳み状態に切換わるように構成したので、観客が試合に興奮して足を掛けたり手で押し下げようとしても破損するのを防止することができる。また、下方への（所定大きさ以上の）力Ｊが加わらないときには、線状バネ３が水平状態から下方折畳み状態に切換わらないので、飲み物の入ったコップＫを掛けても、安定している。
【００１９】
また、競技場イスＣに固着される前壁12と左右側壁13，13を有する第１取付部材１と、第１取付部材２に嵌合状に固着される前方開口箱状の第２取付部材２と、コップＫを掛ける略環状の線状バネ３を、備え、第１取付部材１が、その左右側壁13，13に、線状バネ３を差込む左右一対の端縁Ｕ字型の切欠き６，６を有し、第２取付部材２が、その左右側壁９，９に、線状バネ３を差込む左右一対の端縁Ｕ字型の切欠き７，７を有し、第１取付部材１の切欠き６と、第２取付部材２の切欠き７にて、略円形の線状バネ差込み孔８が形成されるとともに、線状バネ差込み孔８，８に線状バネ３の両端４，４が挿通状とされ、第２取付部材２は、その左右側壁９，９の対向する位置に内方へ突出する小突出子10，10を有し、線状バネ３の両端４，４が、直角折曲部５，５を有し、折曲部５が第２取付部材２の内面２ａに弾発的に接触し、折曲部５が小突出子10を弾発力Ｆ1 をもちつつ乗り越えることにより、水平状態と下方折畳み状態を択一的に切換え自在に構成し、かつ、線状バネ３の水平状態に於て線状バネ３に下方への力Ｊが加わると、線状バネ３が下方折畳み状態に切換わるように構成したので、観客が試合に興奮して足を掛けたり手で押し下げようとしても破損するのを防止することができる。また、下方への（所定大きさ以上の）力Ｊが加わらないときには、線状バネ３が水平状態から下方折畳み状態に切換わらないので、飲み物の入ったコップＫを掛けても、安定している。また、容易に製造することができる。
【図面の簡単な説明】
【００２０】
【図１】本考案の実施の一形態の使用状態を示す側面図である。
【図２】折畳み状態を示す側面図である。
【図３】分解斜視図である。
【図４】線状バネ差込み孔を示す説明図である。
【図５】線状バネの説明図であって、（ａ）は水平状態を示す説明用正面図、（ｂ）はそのＸ−Ｘ断面図である。
【図６】線状バネの折曲部が小突出子を乗り越えている状態を示す説明図であって、（ａ）は説明用正面図、（ｂ）はそのＹ−Ｙ断面図である。
【図７】線状バネの折畳み状態を示す説明図であって、（ａ）は説明用正面図、（ｂ）はそのＺ−Ｚ断面図である。
【符号の説明】
【００２１】
１  第１取付部材
２  第２取付部材
２ａ  内面
３  線状バネ
４  両端
５  （直角）折曲部
６  切欠き
７  切欠き
８  線状バネ差込み孔
９  左右側壁
10  小突出子
12  前壁
13  左右側壁
Ｃ  競技場イス
Ｆ1 弾発力
Ｊ  力
Ｋ  コップ
【図１】
0003108854.tif 000003
【図２】
0003108854.tif 000004
【図３】
0003108854.tif 000005
【図４】
0003108854.tif 000006
【図５】
0003108854.tif 000007
【図６】
0003108854.tif 000008
【図７】
0003108854.tif 000009